(57)【特許請求の範囲】
【請求項１】
排出口に向かって搬送されるロール紙に印刷を行い、その後前記ロール紙を切断するプリンタにおいて、
前記排出口は、その縦方向が前記ロール紙の厚み方向に一致するように前記プリンタの側面に設けられており、
前記排出口の上縁近傍には、当該排出口内に突出するブラシが設けられており、
前記排出口の下縁を規定する下カバーとして、前記ブラシに接触する第１の下カバー又は前記ブラシから離れている第２の下カバーを選択的に装着できるようにすることにより、前記排出口の縦方向長さを変更できるようにしたことを特徴とするプリンタ。
【請求項２】
前記第１の下カバーの前記ブラシに対向する面が、前記ブラシに対して第１の角度を有し、前記第２の下カバーの前記ブラシに対向する面が、前記ブラシに対して前記第１の角度よりも小さい第２の角度を有していることを特徴とする請求項１に記載のプリンタ。
【請求項３】
前記第１の下カバーが前記ブラシとともに切断されたロール紙を保持し、前記第２の下カバーが前記切断されたロール紙を自然落下させるように形成されていることを特徴とする請求項１又は２に記載のプリンタ。
【請求項４】
前記下カバーに爪部又は受部が形成され、前記下カバーが装着されるフレームに前記爪部又は受部に対応する受部又は爪部が形成され、前記下カバー及び前記フレームの少なくとも一方の変形によって前記フレームに対して前記下カバーを着脱できるようにしたことを特徴とする請求項１乃至３のいずれか一つに記載のプリンタ。
【請求項５】
排出口に向かって搬送されるロール紙に印刷を行い、その後前記ロール紙を切断するプリンタの仕様変更方法において、
予め、前記排出口を、その縦方向が前記ロール紙の厚み方向に一致するように前記プリンタの側面に設けるとともに、前記排出口の上縁近傍に、当該排出口内に突出するブラシを設けておき、
前記排出口の下縁を規定する下カバーとして、前記ブラシに接触する第１の下カバー又は前記ブラシから離れている第２の下カバーを選択的に装着することにより、前記排出口の縦方向長さを変更し、それによって、切断されたロール紙を前記第１の下カバーと前期ブラシとで保持する仕様と、前記第２の下カバーと前記ブラシとの間から自然落下させる仕様とを変更できるようにしたことを特徴とするプリンタの仕様変更方法。
【発明の詳細な説明】
【技術分野】
【０００１】
本発明は、プリンタに関し、特に、ロール紙に印刷を行い、それを切断して印刷紙片を排出するプリンタに関する。
【背景技術】
【０００２】
従来のプリンタは、図４に示すように、ロール紙４１の搬送ルート４２に沿って配置された、プリンタ部４３、カッター機構４４及び排出口４５を備えている。
【０００３】
このプリンタは、ロール紙４１を排出口４５へ向かって搬送しつつプリンタ部４３で印刷を行う。その後、さらに所定の距離だけロール紙４１を搬送し、印刷された部分をカッター機構４４よりも排出口４５側に位置させて、カッター機構４４により切断する。これにより、ロール紙４１の一部が印刷紙片（レシート）として、排出口４５から排出される。
【０００４】
通常、排出口４５は単なる開口であるが、図４のプリンタでは、印刷紙片を保持するために、排出口４５の近傍（内側）にブラシ４６が設けられている。ブラシ４６は、排出口４５の下縁を規定するガイド板４７にその先端が接触するようにカバー４８に取り付けられている。そして、ブラシ４６は、ガイド板４７に沿って搬送されるロール紙（印刷紙片）４１を、ガイド板４７とともに挟持する（例えば、特許文献１参照）。
【０００５】
【特許文献１】特開２００１−３１０８４８号公報
【発明の開示】
【発明が解決しようとする課題】
【０００６】
レシート用プリンタには、印刷紙片を排出口で保持させたいという要望と、排出口で印刷紙片を保持させることなく自然落下させたいという要望とがある。この相反する要望を満たすため、全く仕様の異なるプリンタを製造することは、一つの仕様のプリンタを製造する場合に比べ、単純に考えて２倍のコストがかかってしまう。そこで、これら２つの仕様のプリンタを、できる限り多くの共通部品を持つように構成することが望まれている。
【０００７】
従来のプリンタは、排出口の近傍に、印刷紙片を保持するためのブラシが設けられている。そして、このブラシは、排出口の上縁を規定するカバーの内側に両面テープにより貼り付けられているだけなので、このブラシを着脱可能にすることにより、上記相反する要望を満たす２つの仕様プリンタとして使用できるように思えるかもしれない。
【０００８】
しかしながら、従来のプリンタにおけるブラシは、印刷紙片が逆戻りするのを防ぐために設けられたものであるため、このプリンタでは、ブラシを取り外したとしても、印刷紙片を自由落下させることができない。
【０００９】
また、印刷紙片が確実に自由落下するように設計されたプリンタに上記ブラシを取り付けることが考えられるが、この場合、ロール紙の搬送を妨げることなく、印刷紙片を確実に保持することが困難であるという問題点がある。
【００１０】
そこで、本発明は、一の部品を交換するだけで、印刷紙片を排出口で確実に保持させることができる仕様と、排出口で印刷紙片を保持させることなく確実に自然落下させることができる仕様とを変更することができるプリンタを提供することを目的とする。
【課題を解決するための手段】
【００１１】
上記目的を達成するため、本発明は、排出口に向かって搬送されるロール紙に印刷を行い、その後前記ロール紙を切断するプリンタにおいて、前記排出口は、その縦方向が前記ロール紙の厚み方向に一致するように前記プリンタの側面に設けられており、前記排出口の上縁近傍には、当該排出口内に突出するブラシが設けられており、前記排出口の下縁を規定する下カバーとして、前記ブラシに接触する第１の下カバー又は前記ブラシから離れている第２の下カバーを選択的に装着できるようにすることにより、前記排出口の縦方向長さを変更できるようにしたことを特徴とする。
【００１３】
また、本発明は、排出口に向かって搬送されるロール紙に印刷を行い、その後前記ロール紙を切断するプリンタの仕様変更方法において、予め、前記排出口を、その縦方向が前記ロール紙の厚み方向に一致するように前記プリンタの側面に設けるとともに、前記排出口の上縁近傍に、当該排出口内に突出するブラシを設けておき、前記排出口の下縁を規定する下カバーとして、前記ブラシに接触する第１の下カバー又は前記ブラシから離れている第２の下カバーを選択的に装着することにより、前記排出口の縦方向長さを変更し、それによって、切断されたロール紙を前記第１の下カバーと前記ブラシとで保持する仕様と前記第２の下カバーと前記ブラシとの間から自然落下させる仕様とを変更できるようにしたことを特徴とする。
【発明の効果】
【００１４】
本発明によれば、プリンタの排出口の下縁を規定する下カバーを交換することにより、排出口の縦方向長さを変更するようにしたことで、印刷紙片を確実に保持する仕様と、印刷紙片を確実に自由落下させる仕様とを容易に変更することができる。
【発明を実施するための最良の形態】
【００１５】
以下、図面を参照して本発明の実施の形態について詳細に説明する。
【００１６】
図１は、本発明の一実施の形態に係るプリンタの概略構成を示す縦断面図である。このプリンタは、例えば、ＰＯＳ端末等のレシートプリンタとして用いられる。
【００１７】
図示のプリンタは、制御基板１１を内蔵する下フレーム１２と、下フレーム１２に図示しない開閉軸により開閉可能に取り付けられた上フレーム１３とを有している。
【００１８】
下フレーム１２には、レシート用紙（ロール紙）１４を回転可能に支持する複数の支持ローラ１５、搬送されるレシート用紙１４を案内する案内ローラ１６、プラテン１７、可動側カッター１８、及び下カバー１９が取り付けられている。
【００１９】
また、上フレーム１３には、プラテン１７に対向配置された印刷ヘッド２０、可動側カッター１８とともにカッター機構を構成する固定側カッター２１、用紙ガイド２２、及びブラシ２３が固定された上カバー２４が取り付けられている。
【００２０】
下カバー１９は、上カバー２４とともに印刷紙片２５を排出する排出口２６を規定する。詳細には、下カバー１９は、排出口２６の少なくとも下縁を、上カバー２４は排出口２６の少なくとも上縁を、それぞれ規定する。ブラシ２３は、排出口２６内に突出し、かつその先端部が下カバー１９の上部前縁又は上面に接触するように、上カバー２４の内側に固定されている。ブラシ２３は、レシート用紙１４の搬送を妨げないように、適度な柔軟性を有し、下カバー１９の上面と鋭角をなすように設けられている。
【００２１】
下カバー１９は、また、下フレーム１２に対して工具等を用いることなく着脱できるように構成されている。具体的には、下カバー１９は、その下部に形成された爪部２７と、その両側上部に形成されたアーム部２８の先端部分に形成された爪部２９とを有している。また、下フレーム１２は、これら爪部２７，２９に対応するように形成された受部３０、３１を有している。アーム部２８が弾性変形することにより、下カバー１９は、下フレーム１２に対して着脱できる。なお、この下カバー１９の着脱は、上フレーム１３を開いた状態でなければ行うことはできないようになっている。
【００２２】
下カバー１９の上面は、レシート用紙の搬送方向（図の左右方向）に略平行で、カッター機構（１８，２１）の切断位置よりも若干下方に位置している。これは、レシート用紙１４のカール癖を考慮し、レシート用紙１４がスムースに搬送されるようにするためである。しかしながら、ブラシ２３による印刷紙片２５の保持を確実にするためには、下カバー１９の上面は、できるだけ高い位置にすることが望ましい。
【００２３】
図１のプリンタは、印刷紙片２５を保持する仕様のものであるが、下カバー１９を別形状のものに交換することにより、印刷紙片２５を自然落下させる仕様に変更することができる。図２に印刷紙片２５を自然落下させる仕様のプリンタを示す。
【００２４】
図２のプリンタは、図１の下カバー１９とは異なる形状の下カバー３２を有している。ただし、爪部２７、２９（アーム部２８）については、下カバー１９と同様である。
【００２５】
下カバー３２は、図３に示すように、下カバー１９よりも上下方向に短く（ここでは２ｍｍ短く）、さら上部に傾斜面（ここでは、幅６ｍｍ）３３を有している。傾斜面３３は、下カバー３２を下フレーム１２装着したときにブラシ２３に対向するように形成されている。その結果、ブラシ２３と下カバー３２の対向面とがなす角度をブラシ２３と下カバー１９の対向面とがなす角度よりも小さくすることができる。これにより、種々のカール癖を持つ印刷紙片２５を確実に自然落下させることができる。
【００２６】
下カバー３２を下フレーム１２に装着することにより、下カバー１９を下フレーム１２に装着した場合よりも、排出口２６の縦方向（印刷紙片２５の厚み方向）長さを長くすることができる。これにより、ブラシ２３と下カバー３２との間に印刷紙片２５の厚みより大きい隙間ができ、印刷紙片２５は、ブラシ２３と下カバー３２との間を通過して確実に自由落下する。
【００２７】
なお、下カバー３２を取り去っても印刷紙片２５は自由落下するが、その場合、可動側カッター１８が外部に露出してしまう。したがって、事故防止やいたずら防止の観点から下カバー３２が必要である。また、排出口２６の縦方向長さを長くしすぎると、そこから指の進入を許してしまうため、事故や故障の原因となるので、排出口２６の縦方向長さを長くしすぎないように下カバー３２の形状を定める必要がある。本実施の形態では、傾斜面３３を設けたことで、排出口２６を広くしつつ、その奥側を狭くし、指の進入を防ぐとともに、印刷紙片の確実な自由落下を実現している。
【００２８】
以上本発明について一実施の形態に即して説明したが、本発明は上記実施の形態に限定されるものではない。例えば、下フレーム１２側に爪部を設け、下カバー１９，３２側に対応する受部を設けるようにしてもよい。
【図面の簡単な説明】
【００２９】
【図１】本発明の一実施の形態に係るプリンタの概略構成を示す縦断面図である。
【図２】図１のプリンタの仕様変更後の縦断面図である。
【図３】図１のプリンタに使用される下カバーと図２のプリンタに使用される下カバーとの差異を示す図である。
【図４】従来のプリンタの要部の概略構成を示す部分縦断面図である。
【符号の説明】
【００３０】
１１    制御基板
１２    下フレーム
１３    上フレーム
１４    レシート用紙
１５    支持ローラ
１６    案内ローラ
１７    プラテン
１８    可動側カッター
１９    下カバー
２０    印刷ヘッド
２１    固定側カッター
２２    用紙ガイド
２３    ブラシ
２４    上カバー
２５    印刷紙片
２６    排出口
２７    爪部
２８    アーム部
２９    爪部
３０，３１    受部
３２    下カバー
３３    傾斜面
４１    ロール紙
４２    搬送ルート
４３    プリンタ部
４４    カッター機構
４５    排出口
４６    ブラシ
４７    ガイド板
４８    カバー
【図１】
0004482709.tif 000002
【図２】
0004482709.tif 000003
【図３】
0004482709.tif 000004
【図４】
0004482709.tif 000005